(57)【要約】【課題】  カラオケ楽曲の検索にあたって、利用者の嗜好に合わせて、カラオケリモコンアプリケーションの楽曲リストから素早く嗜好の楽曲を選択できるように、随時カスタマイズされるように楽曲リストの表示順が更新されるようにすることを目的とする。【解決手段】  画面遷移又は画面スクロールにより、タッチパネルに文字や画像を表示することにより利用者に向けて楽曲リストを表示する検索結果表示手段を有するカラオケリモコンアプリケーション又はネットワークカラオケシステムにおいて、利用者の楽曲選択情報に基づき、楽曲リスト表示手段で表示する楽曲リストにおける楽曲の表示順を選択頻度順に所定のタイミングで変更するようにした。【選択図】図３
2015072392.tif 000002
【特許請求の範囲】
【請求項１】
画面遷移又は画面スクロールにより、タッチパネルに文字や画像を表示することにより利用者に向けて各種楽曲の検索軸情報を多数表示する検索軸情報表示手段と、
この検索軸情報表示手段により指定した検索軸に該当する楽曲を楽曲データベースから抽出し、抽出結果を表示する検索結果表示手段と、
この検索結果表示手段により表示された楽曲から特定の楽曲を選択し、当該楽曲をカラオケ装置に演奏予約するためのリモコン信号を発信するリモコン信号発信手段と、
前記検索軸情報表示手段、検索結果表示手段、リモコン信号発信手段を管理する管理手段を備えたカラオケリモコンアプリケーションであって、
前記管理手段は、利用者の楽曲選択頻度に基づき、前記検索結果表示手段で表示する楽曲の表示順を楽曲選択頻度順に所定のタイミングで変更することを特徴とするカラオケリモコンアプリケーション。
【請求項２】
複数のカラオケ演奏装置と、
カラオケ楽曲及びカラオケ楽曲の検索情報を蓄積し、前記カラオケ演奏装置に前記カラオケ楽曲及び前記カラオケ楽曲の検索情報を供給するセンタサーバと、
このセンタサーバとネットワーク通信を介して接続され、各カラオケ装置をコントロールするカラオケリモコンアプリケーションを搭載したリモコン用端末機からなるネットワークカラオケシステムであって、
前記リモコン用端末機は、
前記センタサーバと直接又は前記カラオケ装置を介して、情報交換を行う通信手段と、
画面遷移又は画面スクロールにより、タッチパネルに文字や画像を表示することにより利用者に向けて各種楽曲の検索軸情報を多数表示する検索軸情報表示手段と、
この検索軸情報表示手段により、指定した検索軸に該当する楽曲を楽曲データベースから抽出し、抽出結果を表示する検索結果表示手段と、
この検索結果表示手段により表示された楽曲から特定の楽曲を選択し、当該楽曲を前記カラオケ装置に演奏予約するためのリモコン信号を発信するリモコン信号発信手段と、
前記通信手段、前記検索軸情報表示手段、前記検索結果表示手段、前記リモコン信号発信手段を管理するとともに、前記検索結果表示手段における利用者の楽曲選択情報を前記センタサーバにアップする管理手段を備え、
前記センタサーバは、前記リモコン用端末機からアップされた利用者の楽曲選択情報を集計するよう構成し、
前記センタサーバで集計された、利用者の楽曲選択情報に基づき、前記検索結果表示手段で表示する楽曲の表示順を楽曲選択頻度順に所定のタイミングで変更することを特徴とするネットワークカラオケシステム。
【請求項３】
前記管理手段は、当該リモコン用端末における利用者の楽曲選択頻度に基づき、前記検索結果表示手段で表示する楽曲の表示順を楽曲選択頻度順に所定のタイミングで変更でき、その場合と前記検索結果表示手段で表示する楽曲の表示順を前記センタサーバで集計された楽曲選択情報における楽曲選択頻度順に所定のタイミングで変更する場合とを選択できることを特徴とする前記請求項２記載のネットワークカラオケシステム。
【発明の詳細な説明】
【技術分野】
【０００１】
本発明は、カラオケリモコンにおいて、利用者の嗜好に合わせて操作性を向上させることができるカラオケリモコンアプリケーションに関する。
【背景技術】
【０００２】
目次本機能付きカラオケリモコン装置は、機能的には携帯型パソコンに類似した形態のコンピュータ応用機器として製品化されている。そして、カラオケ楽曲データベースに対応するカラオケ楽曲についての属性情報を格納し、楽曲データベースとして管理され、利用者が入力した検索キーワードに基づき楽曲データベースに照会し、該当するカラオケ楽曲についての目次情報や楽曲番号を導き出せるようになっている。そして、希望するカラオケ楽曲が最終的に選曲され、その楽曲の演奏予約コードをカラオケ装置に転送させて演奏が開始されるようになっている。
【０００３】
さらに近年は、携帯電話やタブレットＰＣと呼ばれる携帯端末などタッチパネル型の情報端末が急激に普及してきている。それら情報携帯端末には各種のアプリケーションソフトウエアが容易にインストールできるようにもなっており、カラオケリモコンアプリケーションも簡単にセットアップできる状況にある。
【０００４】
一方、カラオケメーカーからは、カラオケ楽曲について、楽曲の検索を容易にするために楽曲データベースに与えられる検索方法やキーワードの属性情報が随時提供されつつある。
【先行技術文献】
【特許文献】
【０００５】
【特許文献１】特許第３９６１３７３号公報
【特許文献２】特開２００４-３５４７５６号公報
【発明の概要】
【発明が解決しようとする課題】
【０００６】
特許文献１は、検索式カラオケリモコンに関し、検索結果のワンタッチ再現処理機能を備えたタッチパネル式リモコン装置が開示されている。
この特許文献１における開示内容としては、利用者が利用した検索において画面に残った検索結果をワンタッチで再現するというものである。
【０００７】
この特許文献1で開示された検索方法や検索装置は、直前の検索状況を再現するというもので、検索結果の表示順に関する発明ではない。
【０００８】
また、特許文献２は、楽曲検索に際して、楽曲のカテゴリは、利用者ごとに異なっていることに着目している。例えば、同じような嗜好（例えば同じアーティスト）で選曲することが多いなど。そのため少ない操作手順で利用者にとって意味のある過去の画面表示状態を再現させるための技術が開示されている。
【０００９】
特許文献１と同様に、この特許文献２で開示された検索方法や検索装置は、検索結果の表示順に関する発明ではない。
【００１０】
このように多数の楽曲から特定の楽曲を選択するにあたって、選択を容易にしたり、選曲の提案をする方策についてはいくつかの提案があるものの、特定の検索軸を選定した後に表示される楽曲の表示順については５０音順などメーカーが予め特定した方法で表示されるにとどまっている。
【００１１】
本発明は、利用者にとって、絞り込んだ楽曲又は持ち歌等の楽曲リストから使用者が嗜好する楽曲を素早く選択できるように、随時カスタマイズされるようにすることを目的としている。
【課題を解決するための手段】
【００１２】
上記目的を達成するため本発明の請求項1は、画面遷移又は画面スクロールにより、タッチパネルに文字や画像を表示することにより利用者に向けて特定の検索軸に該当する楽曲リストを表示する検索結果表示手段を有するカラオケリモコンアプリケーションであって、
利用者の楽曲選択頻度に基づき、この検索結果表示手段で表示する楽曲リストの表示順を利用者の楽曲選択頻度順に所定のタイミングで変更するようにしてなるものである。
【００１３】
また請求項２は、複数のカラオケ演奏装置と、
カラオケ楽曲及びカラオケ楽曲の検索情報を蓄積し、カラオケ演奏装置にカラオケ楽曲及びカラオケ楽曲の検索情報を供給するセンタサーバと、
このセンタサーバとネットワーク通信を介して接続され、各カラオケ装置をコントロールするカラオケリモコンアプリケーションを搭載したリモコン用端末機からなるネットワークカラオケシステムであって、
検索結果表示手段で表示する楽曲リストの表示順を、センタサーバで集計された利用者の楽曲選択頻度情報における利用者の楽曲選択頻度順に、所定のタイミングで変更するようにしたものである。
【００１４】
さらに請求項３は、検索結果表示手段で表示する楽曲リストの表示順をリモコン用端末機における利用者の楽曲選択頻度順に所定のタイミングで変更することができ、この場合とセンタサーバで集計された利用者の楽曲選択頻度情報に基づいた楽曲選択頻度順に所定のタイミングで変更する場合とを選択できるようにしたものである。
【発明の効果】
【００１５】
本発明によると、利用者の楽曲選択頻度にあわせて楽曲リストが表示されるので、利用者の選択頻度の高い楽曲ほど容易に選択でき操作性を向上させることができる。個別の利用者が選択しない楽曲についても、センタサーバで集計したシステム全体の楽曲選択頻度に基づいて表示順を変更できるため、人気の高い楽曲がより選択しやすい位置に置かれることとなる。また、メーカー側から楽曲が随時追加された場合の選択頻度順の扱いについても利用者の嗜好に合わせて選択しやすくするなどの応用も考えられる。
【図面の簡単な説明】
【００１６】
【図１】本発明の一実施例におけるネットワークカラオケシステム構成図。
【図２】リモコンアプリケーショントップ画面の一実施例説明図。
【図３】楽曲リスト表示画面の一例の説明図。
【図４】リモコン用端末機の構成を示す説明図。
【発明を実施するための形態】
【００１７】
以下に本発明の実施例を図に基づいて説明する。
本発明においては、図１に示されるようにセンタサーバは、ネットワークを経由して直接あるいは、カラオケ装置を介して間接的に、カラオケリモコンアプリケーションを搭載したリモコン用端末機１に対し、楽曲検索軸を含む楽曲管理データ等を配信している。
今日、リモコン用端末機１は、カラオケ装置メーカーがカラオケ装置とセットで製造する専用リモコン端末と、ダウンロードによりカラオケリモコンアプリケーションがインストールされた携帯情報端末が準備されるようになっているが、本実施例では、リモコン用端末機１はカラオケリモコンアプリケーションがインストールされたカラオケ利用者があらかじめ所持している携帯情報端末とする。
【００１８】
図５は、リモコン用端末機１を示すもので、構成の主なものとしては、外部との通信を行う通信制御部１５、メモリ１３、タッチパネル１２などを有し、それぞれ制御部１４に接続されコントロールされる。特に、操作部としては、タッチパネル１２がディスプレイ２０とタッチセンサ２１で構成され、ディスプレイ２０にメニュー画面２などが表示され、タッチしながら操作を行えるようになっている。メモリ１３には、アプリケーションプログラムが各種ダウンロードでき、本発明に係るプログラムもこの部分にダウンロードされる。
【００１９】
カラオケ利用者が所有する携帯情報端末にインストールしてあるカラオケリモコンアプリケーションを起動すると、図２に示されるようなカラオケリモコンアプリケーショントップ画面としてメニュー画面２が表示される。持ち歌を探すための操作ボタン３をタップすると、図３に示されるような楽曲が一覧となった楽曲リスト４がタイトルバー５の下部に表示されるようになっている。
この楽曲リスト４は、図３に示されるように一画面に表示できるようになっており、上下に画面をスクロールすることで初期画面に表示されていない楽曲も順次表示されていき所望の楽曲を指定できるようになっている。
【００２０】
従来のカラオケリモコンによる楽曲リストは、例えば持ち歌の場合、利用者が登録した順に表示され、スクロールスピードが早くなったとはいえ、多数登録した楽曲から選択するのは容易ではなかったが、本発明では利用者の楽曲選択頻度にあわせて楽曲リスト４が並び替えられるので、容易に楽曲選択がし易くなる。
【００２１】
カラオケを楽しむ利用者は、それぞれ嗜好があり、楽曲も偏っていたり、好みのものもあるはずで、一方的に楽曲リストを表示させることも問題があったが、利用者の嗜好に合わせ、利用者の選択頻度順に楽曲リスト４の表示順を決定しておけば、提供者側がどんどん楽曲を追加しても、利用者は、いつも一定の操作性を維持でき、サービスの低下を招くことはなく、使えば使うほど、利用者の嗜好にマッチして行き、使い心地が向上される。
【００２２】
持ち歌における楽曲リスト４の表示順については、個人所有のリモコン用端末機１による利用者の選択頻度順に表示される場合と、請求項２による実施例のように、センタサーバで集計された会員ＩＤに基づく利用者の情報がアップされる状態であれば、複数のリモコン用端末機１を利用している利用者でも常に楽曲の選択頻度情報をセンタサーバに登録でき、利用者の楽曲選択頻度にあわせて楽曲リスト４が並び替えられるので、楽曲選択がしやすくなる。
【００２３】
さらに他の実施例として、操作ボタン３(曲を探す)を押すと複数の検索軸が表示されるようになっており、その中の年代検索軸を選択し、その年代検索の結果表示される楽曲リスト４の場合を説明する。年代検索とは、
楽曲データベースに楽曲のたとえば発売年などの情報を登録しておき、特定の年を指定することで当該年に発売された曲の一覧を見ることができる仕組みであり、多くのカラオケ楽曲検索に採用されているものである。近年では登録楽曲の多数化に伴い、年代検索の結果表示される特定の年に該当する楽曲数が百、千の単位に及びこれをすべて見ることは現実的でなくなっている。しかし、多くの場合、表示される楽曲が曲名の５０音順などで表示されるため、利用者はその年に発売されたというだけでヒットしていない曲であっても「あ」で始まる曲から順に見ていくことになる。本発明ではセンタサーバで集計された複数の利用者の楽曲選択情報に基づいて検索結果を表示することができるため、より多くの利用者に選択された楽曲から表示されることになり、人気の高い曲から見ることができる。
「操作ボタン」も検索軸の１つであるが、上述した通り「曲を探す」の操作パネル３を押すことにより複数の検索軸が表示されるものであり、年代検索軸のほか、アニメソング、大賞受賞曲などが用意されている。
【００２４】
持ち歌リストなどの場合には、他人の選択頻度により表示順が変更される仕様は適さないため、検索軸によって利用者自身の選択頻度順と、集計された多数の利用者の選択頻度順との表示を利用者自身が選択できることが好ましい。
さらに選択頻度順以外の表示順なども選択の対象となっていてもよい。
【符号の説明】
【００２５】
１…リモコン用端末機
２…トップ画面
３…操作ボタン
４…楽曲リスト
５…タイトルバー
１２…タッチパネル
１３…メモリ
１４…制御部
１５…通信制御部
２０…ディスプレイ
２１…タッチセンサ
【図１】
2015072392.tif 000003
【図２】
2015072392.tif 000004
【図３】
2015072392.tif 000005
【図４】
2015072392.tif 000006